(57)【特許請求の範囲】
【請求項１】
ユーザ装置と通信システムの第１ネットワーク要素との間に同時に回路交換及びパケット交換接続を確立し、
通信システムの第１ネットワーク要素から第２ネットワーク要素へ回路交換接続をハンドオーバーするための手順を開始し、
規定の事象を監視し、この事象は、パケット交換接続により予約されたリソースを解除する必要性を指示するように定義され、そして
事象の検出に続いて、上記パケット交換接続により予約されたリソースを解除する、
という段階を備えており、
上記事象は、ユーザ装置にサービスする無線アクセスエンティティに関連した情報を更新する要求をユーザ装置が発生する前に検出されることを特徴とする通信システムにおける方法。
【請求項２】
解除されるべきリソースは、上記第１ネットワーク要素と、パケット交換接続のコアネットワーク側にある要素との間のインターフェイスにより予約されたリソースを含む請求項１に記載の方法。
【請求項３】
解除されるべきリソースは、パケット交換接続により上記第１ネットワーク要素において予約されるリソースを含む請求項１又は２に記載の方法。
【請求項４】
上記要求は、ルーティングエリア更新の要求を含む請求項１に記載の方法。
【請求項５】
上記第１ネットワーク要素は、第１通信ネットワークの無線ネットワークコントローラであり、そして上記第２ネットワーク要素は、第２通信ネットワークの無線ネットワークコントローラである請求項１に記載の方法。
【請求項６】
上記第１ネットワーク要素及び第２ネットワーク要素は、異なる技術に基づいて動作する請求項１に記載の方法。
【請求項７】
上記第１ネットワーク要素は、第３世代セルラーテレコミュニケーションシステムの無線ネットワークコントローラである請求項５に記載の方法。
【請求項８】
上記第２ネットワーク要素は、第２世代セルラーテレコミュニケーションシステムの無線ネットワークコントローラである請求項５に記載の方法。
【請求項９】
上記事象は、回路交換接続に関連したリソースを解除する要求を含む請求項１に記載の方法。
【請求項１０】
上記要求は、通信システムのコアネットワークの要素により発生される請求項９に記載の方法。
【請求項１１】
上記第１ネットワーク要素は、事象の検出に応答してリソースを解除する要求を発生する請求項１に記載の方法。
【請求項１２】
上記事象は、リソースを解除する判断を含み、該判断は、上記第２ネットワーク要素が属する通信ネットワークの能力の情報に基づいて行われる請求項１に記載の方法。
【請求項１３】
上記情報は、テーブルから検索される請求項１２に記載の方法。
【請求項１４】
上記情報は、上記第２ネットワーク要素の通信ネットワークに問合せを搬送することにより得られる請求項１２に記載の方法。
【請求項１５】
上記判断は、上記第１ネットワーク要素によりなされる請求項１２に記載の方法。
【請求項１６】
上記判断は、通信システムのコアネットワークにおけるコントローラによりなされる請求項１２に記載の方法。
【請求項１７】
上記事象は、タイマー機能からの指示を含む請求項１に記載の方法。
【請求項１８】
上記タイマー機能は、上記第１ネットワーク要素において実施される請求項１７に記載の方法。
【請求項１９】
上記タイマー機能は、上記通信システムのコアネットワーク側で実施される請求項１７に記載の方法。
【請求項２０】
上記タイマー機能は、動的である請求項１７に記載の方法。
【請求項２１】
解除されるべき接続に関連されたデータを記憶する段階を含む請求項１に記載の方法。
【請求項２２】
記憶されるべきデータは、ユーザデータを含む請求項２１に記載の方法。
【請求項２３】
規定のデータのみが記憶される請求項２１に記載の方法。
【請求項２４】
ハンドオーバーを開始する前に送信されたが、ハンドオーバー開始のときまでに受信されたと確認されなかったデータのみが記憶される請求項２３に記載の方法。
【請求項２５】
上記記憶されたデータは、ハンドオーバー手順が完了した後に、アドレスされた行先へ搬送される請求項２１に記載の方法。
【請求項２６】
ユーザ装置と、
第１ネットワーク要素であって、上記ユーザ装置と該第１ネットワーク要素との間で同時に回路交換及びパケット交換接続を行えるようにする第１ネットワーク要素と、
第２ネットワーク要素であって、上記第１ネットワーク要素から該第２ネットワーク要素へ回路交換接続をハンドオーバーできるようにする第２ネットワーク要素と、
規定の事象を検出するための手段と、
を備え、上記事象の検出に応答して、パケット交換接続により予約されたリソースを解除するように構成されており、
上記事象は、ユーザ装置にサービスする無線アクセスエンティティに関連した情報を更新する要求をユーザ装置が発生する前に検出されることを特徴とする通信システム。
【請求項２７】
解除されるべきリソースは、上記第１ネットワーク要素と、システムのコアネットワークにあるネットワーク要素との間のインターフェイスによって予約されたリソースを含む請求項２６に記載の通信システム。
【請求項２８】
上記システムは、上記第１ネットワーク要素におけるリソースを解除する請求項２６に記載の通信システム。
【請求項２９】
上記第１ネットワーク要素は、第１通信ネットワークの無線ネットワークコントローラであり、そして上記第２ネットワーク要素は、第２通信ネットワークの無線ネットワークコントローラである請求項２６に記載の通信システム。
【請求項３０】
上記第１ネットワーク要素及び第２ネットワーク要素は、異なる技術に基づいて動作する請求項２６に記載の通信システム。
【請求項３１】
上記第１ネットワーク要素は、回路交換接続に関連されたメッセージに応答してリソースを解除する要求を発生する請求項２６に記載の通信システム。
【請求項３２】
上記メッセージは、回路交換リソースを解除する要求を含む請求項３１に記載の通信システム。
【請求項３３】
上記事象は、リソースを解除する判断を含み、該判断は、上記第２ネットワーク要素が属する通信ネットワークの能力の情報に基づいて行われる請求項２６に記載の通信システム。
【請求項３４】
上記第１ネットワーク要素は、リソースを解除する判断を行う請求項２６に記載の通信システム。
【請求項３５】
通信システムのコアネットワークにおけるコントローラが判断を実行する請求項２６に記載の通信システム。
【請求項３６】
少なくとも１つのタイマーを含む請求項２６に記載の通信システム。
【請求項３７】
少なくとも１つのタイマーは動的である請求項３６に記載の通信システム。
【請求項３８】
解除されるべき接続に関連されたデータを記憶するためのメモリ手段を備えた請求項２６に記載の通信システム。
【発明の詳細な説明】
【０００１】
【技術分野】
本発明は、通信システムにおける接続に係り、より詳細には、システムのあるノードからシステムの別のノードへの接続のハンドオーバーに係るが、これに限定されるものではない。
【０００２】
【背景技術】
通信ネットワークは、通常、ネットワークの種々の要素が何を行うことが許されそしてそれをいかに行うべきか、即ちネットワークにおいて通信の基礎となる技術、を規定する所与の規格又は仕様書に基づいて動作する。この規格は、システムのユーザ、より詳細には、ユーザ装置に、回路交換サービス及び／又はパケット交換サービスが提供されるかどうか規定する。又、この規格は、接続に使用されるべき通信プロトコルも規定する。又、通常、１つ以上の必要な接続パラメータも定義される。換言すれば、この規格は、通信システム内の通信の基礎となる「ルール」及びパラメータを規定する。通信技術を規定する種々の規格及び／又は仕様書は、例えば、ＧＳＭ（移動通信用のグローバルシステム）又は種々のＧＳＭベースのシステム（例えば、ＧＰＲＳ：汎用パケット無線サービス）、ＥＤＧＥ（エンハンスト・データ・レート・フォア・ＧＳＭエボリューション）、ＡＭＰＳ（アメリカン・モービル・フォーン・システム）、ＤＡＭＰＳ（デジタルＡＭＰＳ）、ＷＣＤＭＡ（ワイドバンドコード分割多重アクセス）又はＣＤＭＡ（コード分割多重アクセス）又はＴＤＭＡ（時分割多重アクセス）をベースとする第３世代（３Ｇ）テレコミュニケーションシステムのような仕様を含むが、これらに限定されない。３Ｇシステムは、例えば、ユニバーサル・モービル・テレコミュニケーション・システム（ＵＭＴＳ）、ｉ−Ｐｈｏｎｅ及びＩＭＴ２０００（インターナショナル・モービル・テレコミュニケーション・システム２０００）を含む。
【０００３】
特定の通信ネットワークを経て通信するのに使用されるべき固定ライン又はワイヤレスターミナルのようなユーザ装置は、ネットワークの規定の「ルール」に基づいて実施されねばならない。ターミナルは、２つ以上の技術に適合するように構成されてもよく、即ちターミナルは、多数の異なる形式の通信サービスに基づいて通信することができる。これらのユーザ装置は、マルチモードターミナルとしばしば称される。マルチモードターミナルの基本的な例は、２つの異なるテレコミュニケーションネットワークで動作するように構成されたデュアルモード移動ステーションである。
【０００４】
通信ネットワークは、セルで構成されるセルラー無線ネットワークである。ほとんどの場合に、セルは、ワイヤレスインターフェイスを経てユーザ装置（ＵＥ）にサービスする１つ又は多数のベーストランシーバステーション（ＢＴＳ）によりカバーされたあるエリアとして定義することができる。ワイヤレスインターフェイスは、無線リンクとも称される。ベースステーションは、無線アクセスネットワーク（ＲＡＮ）の一部分を形成する。多数のセルが、１つのセル以上の大きなサービスエリアをカバーすることができる。回路交換（ＣＳ）システムでは、無線サービスエリアが、通常、位置エリア（ＬＡ）と称される。パケット交換（ＰＳ）システムでは、サービスエリアがしばしばルーティングエリア（ＲＡ）と称される。位置エリア又はルーティングエリアのサイズは、システム及び環境に依存し、そして１セルに等しいか又はそれより小さく、例えば、ベースステーションのカバレージエリアの一部分でもよいことが明らかである。
【０００５】
セルラーシステムの１つのアクセスエンティティ（セルのような）内にあるユーザ装置（ＵＥ）は、１つ又は多数のコントローラにより制御される。コントローラノードは、例えば、ＧＳＭシステムのベースステーションコントローラ（ＢＳＣ）又はパケット交換第３世代システムの無線ネットワークコントローラ（ＲＮＣ）のような無線ネットワークコントローラと、ＧＳＭシステムの移動交換センター（ＭＳＣ）及びサービングＧＰＲＳサポートノード（ＳＧＳＮ）のようなコアネットワークコントローラとを含むが、他の制御ノードもネットワークにおいて実施できる。このコントローラは、更に、ゲートウェイ又はリンクノード、例えば、ゲートウェイＧＰＲＳサポートノード（ＧＧＳＮ）或いはゲートウェイ移動交換センター（ＧＭＳＣ）に接続することができ、これは、コントローラノードを、通信システムの他の部分及び／又は他の通信ネットワーク、例えば、ＰＳＴＮ（公衆交換テレコミュニケーションネットワーク）或いはデータネットワーク、例えば、Ｘ．２５ベースのネットワーク又はＩＰ（インターネットプロトコル）ベースのネットワークにリンクする。又、ネットワークは、ネットワークと契約するか又はネットワークを訪問する移動ステーションの情報を記憶するためのノード、例えば、適当なホーム位置レジスタ（ＨＬＲ）及びビジター位置レジスタ（ＶＬＲ）も含む。実施形態に基づき、レジスタノードは、制御ノードと一体化されてもよい。
【０００６】
ユーザ装置が通信ネットワークと通信するときには、ユーザ装置とネットワークの１つ以上の要素との間に通信経路が確立される。通常、ユーザ装置と、行先ノード又はターミナルとの間の通信の少なくとも一部分がコントローラノードを通過する。
【０００７】
セルラーシステムの特徴は、移動ステーションに対する移動度を与えることであり、即ち移動ステーションは、ある位置エリアから別の位置エリアへ移動することができ（例えば、移動ステーションがあるセルから別のセルへ移動即ちローミングするとき）、そしてあるネットワークから、移動ステーションに適用される規格に合致する別のネットワークへ移動することもできる。進行中の（アクティブな）接続を伴うユーザ装置に移動を与えることができるようにするために、システムは、そのノードから別のノードへの接続のハンドオーバーを実行できねばならない。又、接続のハンドオーバーは、他の理由でも必要とされ、例えば、パケット交換接続のクオリティが規定のスレッシュホールドレベルより低下したとき、又はセルが著しい混雑状態になったときにも必要とされる。
【０００８】
又、ハンドオーバーは、異なるネットワークに属する２つのノード間でも可能である。新たなセルが以前のセルと同様のシステムによりサービスされない場合には、異なる通信技術をベースとする通信システム間でハンドオーバーを行うことが必要となる。ターミナルからパケット交換接続及び回路交換接続の同時ハンドオーバーも、ある場合には、必要となる。
【０００９】
異なる通信システム（即ち異なる通信技術をベースとするシステム）のノード間でハンドオーバーを実行すべきときには、「新たな」（即ちターゲットの）通信システム及び「古い」（即ち以前の）通信システムの種々の要素の動作が相違するために「新たな」接続を適切に設定できないことが考えられる。例えば、第３世代のＵＭＴＳネットワークから、ＧＳＭベースの第２世代のＧＰＲＳネットワークへといった２つの異なるパケットデータネットワーク間でパケットデータ通信ハンドオーバーを行うべき場合には、ユーザ装置（例えば、クラスＢの移動ステーション）は、ＧＰＲＳネットワークの２Ｇ−ＳＧＳＮ（第２世代のＳＧＳＮ）のような新たなネットワークのコントローラで即座のルーティングエリア更新（ＲＡＵ）を実行することが保証されない。しかしながら、ＵＭＴＳにおけるＲＮＣコンテクスト及びＩｕベアラのような無線ネットワークコントローラリソースは、ユーザ装置がＧＰＲＳネットワークにおいてターゲット（即ち新たな）ＳＧＳＮで上記ルーティングエリア更新（ＲＡＵ）を実行するまで、古いコントローラにおいて解除されない。ＵＭＴＳからＧＰＲＳへのシステム間変更では、ＵＭＴＳシステムの適当な要素（例えば、第３世代の３Ｇ−ＳＧＳＮノード）は、ユーザ装置がＲＡＵ要求メッセージを発生して送信した後にのみ、コントローラエンティティ及びＩｕインターフェイスを解除する。ＧＳＭベースのシステムでは、ルーティングエリア更新（ＲＡＵ）は、回路交換（ＣＳ）コールが終了した（即ち回路交換接続が解除された）後にのみ実行される。更に、第２世代のＳＧＳＮは、無線ネットワークコントローラと第３世代のＳＧＳＮとの間のＩｕリソースを除去できないことがある。というのは、第２世代のＳＧＳＮは、Ｉｕインターフェイス又はＩｕインターフェイスを制御する能力をもたないからである。それ故、ＲＡＵ手順が完了するまでに相当に長い時間周期を要する。従って、常に、古いＲＮＣは、パケット交換接続により予約されたリソース（例えば、Ｉｕ及びＲＮＣコンテクスト）を保持することが必要となる。ルーティングエリア更新が即座に実行されない場合には、これらのリソースが不必要に維持され、従って、相当に長い時間周期にわたって浪費されることになる。
【００１０】
【発明の開示】
本発明の実施形態は、上記問題の１つ又は多数に対処することに向けられる。
本発明の１つの特徴によれば、通信システムにおける方法であって、ユーザ装置と通信システムの第１要素との間に同時に回路交換及びパケット交換接続を確立し、通信システムの第１要素から第２要素へ回路交換接続をハンドオーバーする手順を開始し、規定の事象を監視し、この事象は、パケット交換接続によって予約されたリソースを解除する必要性を指示するように定義され、そして事象の検出に続いて、上記パケット交換接続により予約されたリソースを解除するという段階を備えた方法が提供される。
【００１１】
本発明の別の特徴によれば、ユーザ装置と、第１コントローラであって、ユーザ装置と該第１コントローラとの間で同時に回路交換及びパケット交換接続を行えるようにする第１コントローラと、第２コントローラであって、上記第１コントローラから該第２コントローラへ回路交換接続をハンドオーバーできるようにする第２コントローラと、規定の事象を検出するための手段とを備え、上記事象の検出に応答して、パケット交換接続により予約されたリソースを解除するように構成された通信システムが提供される。
【００１２】
本発明の特定の実施形態では、解除されるべきリソースは、上記第１要素と、パケット交換接続のコアネットワーク側にある要素とのインターフェイスにより予約されたリソースのようなリソース、及び／又はパケット交換接続により上記第１要素において予約されるリソースを含む。上記事象は、回路交換接続に関連したリソースを解除する要求を含む。上記第１要素は、事象の検出に応答して、リソースを解除する要求を発生するように構成される。上記事象は、ユーザ装置にサービスする無線アクセスエンティティに関連した情報を更新する要求をユーザ装置が発生する前に検出される。リソースは、通信システムのネットワーク側で解除される。リソースは、上記第１要素によって与えられるリソース、及び／又は上記第１要素とシステムのコアネットワーク側の要素との間の通信リソースである。上記第１要素は、第１通信ネットワークの無線ネットワークコントローラであり、そして上記第２要素は、第２通信ネットワークの無線ネットワークコントローラである。第１要素及び第２要素は、異なる技術に基づいて動作する。システムは、トリガー事象を与えるための少なくとも１つのタイマーを含む。このタイマー機能は動的である。解除されるべき接続に関連したデータは、システムに記憶される。
【００１３】
本発明の実施形態は、通信システムのリソースを効率的に使用するためのスキムを与える。ここでの提案において実質的に長い周期にわたって予約されるリソースは、公知の解決策よりも早期に解除することができる。
本発明を良く理解するために、添付図面を参照して本発明を一例として詳細に説明する。
【００１４】
【発明を実施するための最良の形態】
本発明が使用される通信システムを示した図１について説明する。即ち、このシステムは、ユーザ装置（ＵＥ）に対しパケット交換（ＰＳ）サービス及び回路交換（ＣＳ）サービスの両方を提供するセルラーテレコミュニケーションシステムである。このシステムは、複数の移動ステーションＭＳ１、ＭＳ２、ＭＳ３が各ワイヤレス接続を経てベース（トランシーバ）ステーションと通信できるようにする。各ベースステーションは、無線トランシーバを有し、これは、セルエリア内の移動ステーションへダウンリンクにおいて無線信号を送信しそしてベースステーションに隣接するセルエリアからアップリンクにおいて無線信号を受信することができる。これらの信号により、ベースステーションは、無線トランシーバをそれ自体含むそのセル内の移動ステーション（ＭＳ）と通信することができる。
【００１５】
図示されたシステムは、コアネットワーク（ＣＮ）２と、ＵＭＴＳ地上無線アクセスネットワーク（ＵＴＲＡＮ）８と、ＧＳＭ無線アクセスネットワーク９とを備えている。システムの種々の要素とコアネットワークとの間のインターフェイスについて、以下に詳細に説明する。コアネットワーク（ＣＮ）２は、外部ネットワークに接続することができ、外部ネットワークは、回路交換（ＣＳ）ネットワーク５（例えば、公衆地上移動ネットワークＰＬＭＮ、公衆回路交換ネットワークＰＳＴＮ、サービス総合デジタル網ＩＳＤＮ）、又はパケット交換（ＰＳ）ネットワーク３（例えば、インターネットプロトコル（ＩＰ）ベースのデータネットワーク）である。
【００１６】
図１のコアネットワーク（ＣＮ）は、ＵＭＴＳ要素及びＧＳＭ要素の両方を含む。図１のコアネットワークは、ホーム位置レジスタ（ＨＬＲ）１２と、ビジター位置レジスタ（ＶＬＲ）１８を含む移動サービス交換センター（ＭＳＣ）１３と、ＧＰＲＳシステムのサービングＧＰＲＳ（汎用パケット無線サービス）サポートノード（ＳＧＳＮ）１５と、ＵＭＴＳシステムのサービングＧＰＲＳ（汎用パケット無線サービス）サポートノード（ＳＧＳＮ）１４と、ゲートウェイＧＰＲＳサポートノード（ＧＧＳＮ）１６と、ゲートウェイ移動サービス交換センター（ＧＭＳＣ）１９とで構成される。
【００１７】
コアネットワークのＳＧＳＮノード１４及び１５と無線アクセスネットワーク８との間のインターフェイスは、いわゆるＩｕインターフェイスによって形成される。ＢＳＳ９は、Ｇｂインターフェイスを経てＳＧＳＮ１５にインターフェイスする。Ｇｂインターフェイスは、ＧＳＭシステムのパケット交換部分を形成する。このパケット部分は、例えば、ＧＰＲＳにより形成することができる。回路交換接続に対するＢＳＳ８とＭＳＣ１３との間のインターフェイスは、Ａインターフェイスで形成される。
あるシステムでは、２つのＳＧＳＮ１４及び１５の機能を１つのＳＧＳＮにより形成できることが明らかである。この場合に、単一のＳＧＳＮは、ＵＴＲＡＮ８に向かうＩｕインターフェイスと、ＢＳＳ９に向かうＧｂインターフェイスとを有する。
【００１８】
ＵＴＲＡＮアクセスネットワーク８は、２つ以上の無線ネットワークサブシステム（ＲＮＳ：図示せず）で構成される。各無線ネットワークサブシステムは、無線ネットワークコントローラ（ＲＮＣ）７と、１つ以上のベースステーション（ＢＴＳ）６とで構成される。ＵＭＴＳネットワークのベースステーションは、ノードＢと称され、従って、以下の説明では、明瞭化のために、この用語を使用し、ＧＳＭ無線アクセスネットワーク９のベースステーションからＵＭＴＳベースステーションを区別する。無線ネットワークコントローラＲＮＣとノードＢとの間のインターフェイスは、Ｉｕｂインターフェイスにより形成することができる。
【００１９】
移動ステーションは、ＧＳＭアクセスネットワーク９のベースステーション１０との無線接続又はＵＭＴＳアクセスネットワーク８のノードＢ６との無線接続を有する。ベースステーションＢＴＳ及びノードＢの機能は、１つのエンティティによって実施されてもよく、即ちベーストランシーバステーションは、ＧＳＭシステムとＵＭＴＳシステムの両方にサービスできることが明らかである。ノードＢの主たる機能は、エアインターフェイスＬ１（層１）の処理（チャンネルコード化及びインターリーブ、レート適応、拡散等）を実行することである。又、これは、内部ループ電力制御のような幾つかの基本的な無線リソース管理オペレーションも実行する。ノードＢ及びベースステーションＢＴＳのオペレーションは、互いに論理的に対応する。
【００２０】
ベースステーションＢＴＳ１０及びノードＢ６は、各無線アクセスネットワーク（ＲＡＮ）コントローラノード１１及び７により制御されるように示されている。より詳細には、ＵＴＲＡＮ８の無線アクセスネットワークコントローラは、無線ネットワークコントローラＲＮＣ７により制御される。ＧＳＭネットワークのベースステーションサブシステム（ＢＳＳ）９は、ベースステーション１０を制御するためのベースステーションコントローラ（ＢＳＳ）１１を備えている。ＵＭＴＳ無線アクセスネットワーク８のＲＮＣ７及びＧＳＭアクセスネットワーク９のベースステーションコントローラＢＳＣ１１は、互いに論理的に対応する。無線ネットワークコントローラ（ＲＮＣ）は、ＵＴＲＡＮ８の無線リソースを制御する役割を果たす。ＲＮＣは、コアネットワーク（ＣＮ）２にインターフェイスし、そしてユーザ装置１とＵＴＲＡＮ８との間のメッセージ及び手順を定義する無線リソース制御（ＲＲＣ）プロトコルを終了する。他の制御ノードを使用して、無線ネットワーク制御機能を実施できることも明らかであろう。
【００２１】
移動ステーション１と適当な無線ステーションとの間のＵｕインターフェイスを経て無線接続を行う間に、移動ステーションは、ＧＳＭベースステーション１０又はＵＭＴＳノードＢ６を経て各コントローラノードとの接続を有する。図１において、無線アクセスネットワークコントローラ７及び１１の各々は、コアネットワークのノードとの同時パケット交換及び回路交換接続をもつことができる。しかしながら、あるネットワークトポロジーにおいては、アクセスネットワークコントローラがコアネットワークの１つのノードのみに接続されることも考えられる。
【００２２】
ユーザ装置（ＵＥ）１は、ＧＳＭシステムのＢＴＳ及びＵＭＴＳシステムのノードＢを経て通信するように構成された移動ステーションより成る。移動ステーションの種々の機能のオペレーションは、適当なプロセッサ手段により制御することができる。ユーザ装置１は、パケット交換接続及び回路交換接続を同時に有し、これらは両方とも新たな無線ステーションへハンドオーバーすることができる。移動ステーション１の位置は、固定であってもよいし（例えば、固定サイトに対する無線通信を与える場合）、或いは移動ステーションは、可動であってもよい（例えば、ハンドポータブルトランシーバ又は「移動電話」である場合）。
【００２３】
ユーザ装置１は、回路交換接続を経てネットワーク５の別のユーザターミナルとスピーチコールを行い、且つパケット交換接続を経てデータネットワーク３にサーフィン(surfing)するように同時に使用することができる。パケット交換トラフィック及び回路交換トラフィックは、各々、それ自身の無線ベアラを使用するが、それらは、ユーザ装置１と、ベースステーション１０又はノードＢ６との間の論理的ワイヤレス接続のように見えることに注意されたい。この論理的接続は、各アクセスネットワークの同じ無線ネットワークコントローラにより制御される。
【００２４】
移動ステーションがあるセル（古いセル）から別のセル（新たなセル）へ移動する場合に、古いセルのベースステーション及び関連ネットワーク装置との通信から、新たなセルのベースステーション及び関連ネットワーク装置へ、コールをドロップすることなく、移動ステーションをハンドオーバーすることが必要となる。ハンドオーバーについては、ローミング以外の種々の理由があり、例えば、過負荷及び／又は混雑及び／又は低い優先順位の初期の接続を強制的にハンドオーバーさせる優先順位の高いコールがあることが明らかである。
【００２５】
新たな無線アクセスネットワークは、以前のアクセスネットワークの全ての特徴をサポートしないか、或いは異なる特徴をサポートするか又は異なるパラメータに基づくサポートを与えることが考えられる。本発明の実施形態は、２つの異なるアクセスネットワークのベースステーション間でハンドオーバーが行われる状態、例えば、図１のＵＭＴＳ無線アクセスネットワーク８からＧＳＭ無線アクセスネットワーク９への論理的接続のハンドオーバーが行われる状態に向けられる。
【００２６】
図２のフローチャートを説明すれば、好ましい実施形態において、システム間ハンドオーバーの始めに、解除をトリガーする事象が検出された後、ＲＮＣ及びＩｕリソースが解除される。従って、ＲＮＣ及び／又はＩｕリソースは、移動ステーション又はシステムの別の要素がルーティングエリア更新（ＲＡＵ）手順を開始した後でなければ解除を行えない場合には、それらの時間周期中に予約されず、この場合、リソースは、ＲＡＵ要求が遂行された後でなければドロップすることができない。事象の監視は、ハンドオーバーの前に通信に関連する要素、例えば、古い無線ネットワークコントローラ又はＳＧＳＮによって行うことができる。又、監視は、ハンドオーバーの後に通信の制御に関連するエンティティにより行うこともできる。リソースの少なくとも一部分の解除は、例えば、パケット交換接続を新たなコントローラへハンドオーバーできない場合、及び／又は新たなコントローラが、以前のコントローラに予約された既存のリソースを除去する要求を送信できない場合に、効果的である。考えられる事象の幾つかを、本発明の実施形態の説明に関連して以下に述べる。
【００２７】
「接続」という語については、ハンドオーバーの後も新たな無線アクセスネットワークを経て同じ接続が続くが、そのときに新たなエンティティにより制御されるのがリソース及び接続の一部分（例えば、無線部分）であることが明らかである。論理的接続は、Ｉｕ及びＲＮＣリソースが解除されたときに必ずしもドロップせず、接続は、依然、論理的に「上位」層に保持される。
【００２８】
更に別の実施形態によれば、１つ以上の接続を経て搬送されるべきデータは、システムの適当なノードに一時的に記憶されるか又はバッファされる。記憶手順は、ハンドオーバー動作が開始した後にスタートされる。データは、ハンドオーバー周期中に、図１のＳＧＳＮ１４のようなコアネットワークのノードに記憶されるのが好ましい。データは、ユーザデータより成り、例えば、ハンドオーバーされるべきパケット交換無線ベアラを経て搬送された又は搬送されるべきデータより成る。接続が首尾良くハンドオーバーされた後に、記憶されたデータは、新たなコントローラノードへ搬送され、そして更に新たな通信接続を経て最終的な行先へ搬送される。データは、移動ステーション又は他の接続端、例えば、ＩＰデータネットワークサーバーへ搬送される。
【００２９】
ユーザターミナルと他の接続端との間に搬送されるべき全てのユーザデータをバッファすることができる。しかしながら、これは、全ての場合に適当というのではなく、例えば、バッファ動作に使用されると意図されたノードが、限定されたデータ記憶リソースしかもたない場合には、適当でない。更に、データをどれほど長時間記憶すべきか予想することはできず、これは、ノードのリソース管理の実行を困難にする。それ故、部分的に送信されたユーザデータ、即ちハンドオーバー手順の開始前に受信ノードにより完了又は確認されていない送信パケットだけをバッファするのが好都合である。又、記憶されるべきデータに関する他の規定のルールを、例えば、種々のプライオリティ又はサービスクオリティパラメータに基づいて確立することもできる。
【００３０】
同時モードにおいてＵＭＴＳからＧＰＲＳへのシステム間変更に関連した実施形態を、図３のシグナリングフローチャートを参照して詳細に説明する。同時の回路交換及びパケット交換接続モードに対するＵＭＴＳネットワークからＧＰＲＳネットワークへのシステム間変更は、例えば、移動ステーション（ＭＳ）のＣＳ接続に対してＵＭＴＳからＧＳＭへのハンドオーバーが実行されるときに行われ、ここで、移動ステーションは、パケット接続が、無線、ＲＮＣ及びＩｕ機能に対して割り当てられたリソースを有するようなモードにある。３ＧＰＰ仕様では、このモードは、「ＰＭＭ−接続」モード（パケット移動管理）と称される。この場合に、クラスＡのオペレーションモードにある移動ステーションは、ＧＰＲＳルーティングエリア更新（ＲＡＵ）手順を開始し、そしてクラスＢのオペレーションモードにある移動ステーションは、ＰＳ接続で継続するためにＣＳ接続が解除された後にのみＧＰＲＳルーティングエリア更新手順を開始する。クラスＡモードとは、パケット交換及び回路交換の両接続を同時に取り扱うことのできる移動ステーションを指す。クラスＢモードの移動ステーションも、パケット交換及び回路交換接続に対して同時サポートを与えることができるが、他の接続を処理するときまで他の接続を保持することが必要である。例えば、クラスＢステーションは、回路交換接続を経て通信している間には新たなデータパケットを受信することも送信することもできない。
【００３１】
同時のＣＳ及びＰＳ通信に対しＵＭＴＳからＧＰＲＳへハンドオーバーするシステム間変更のための考えられるシーケンスを、図３のメッセージ番号に対応するシグナリング又はメッセージステップ番号を参照して以下に説明する。
ステップ１では、ＵＴＲＡＮがシステム間変更を実行するよう判断する。従って、ＵＴＲＡＮ、及び特に、接続を制御するＲＮＣは、適当なリロケーション要求メッセージをＭＳＣノードに送信することにより回路交換（ＣＳ）及びパケット交換（ＰＳ）接続に対するＳＲＮＣ（サービングＲＮＣ）リロケーション手順を開始する。又、接続を制御するＲＮＣは、適当なリロケーション要求メッセージを３Ｇ−ＳＧＳＮノードへ送信することによりパケット交換（ＰＳ）接続に対するＳＲＮＣ（サービングＲＮＣ）リロケーション手順を開始することもできる。ハンドオーバー手順の開始は、移動ステーションによりトリガーすることができる。例えば、移動ステーションから受信される接続クオリティ測定レポートに基づいて開始をトリガーすることができる。
【００３２】
可能性に基づき、移動ステーションにサービスする３Ｇ−ＳＧＳＮノードは、パケット交換接続の要求されたリロケーションを実行できない（例えば、新たなノード即ちターゲット２Ｇ−ＳＧＳＮがＰＳ接続をサポートしない）ことを決定し、それ故、「ＳＲＮＣリロケーション失敗」（リロケーションサポートされず）メッセージ２を「古い」ＲＮＣへ送信することによりＳＲＮＣリロケーションを拒絶する。この判断は、パケット交換接続をサポートする及び／又はサポートしない考えられるノードに関して、例えば、テーブルの形態で、３Ｇ−ＳＧＳＮに記憶された情報に基づいて行われる。又、３Ｇ−ＳＧＳＮは、２Ｇ−ＳＧＳＮがパケット交換接続をサポートするかどうかの確認を得るために新たな２Ｇ−ＳＧＳＮへメッセージを送信することもできる。
【００３３】
回路交換接続のリロケーションがサポートされ、従って、ＭＳＣは、「リロケーションコマンド」メッセージ３を古いＲＮＣへ送信して、リロケーションのリソースがターゲットベースステーションサブシステム（ＢＳＳ）において割り当てられることを通知する。古いＲＮＣは、次いで、移動ステーションに「ハンドオーバーコマンド」を送信する。
【００３４】
ＣＳ接続に対してシステム間ハンドオーバーが実行された後、ＭＳＣは、メッセージステップ４において「Ｉｕ解除コマンド」を送信する。ＳＲＮＳは、「Ｉｕ解除完了」メッセージで応答する。これらのメッセージは、図３に双頭矢印４で示されている。Ｉｕリソースの解除を要求するメッセージ４は、ＳＲＮＣをトリガーして、「Ｉｕ解除要求」（ＧＳＭシステムへのＣＳハンドオーバー）５を発生し、３Ｇ−ＳＧＳＮへ送信する。図３の実施形態において、メッセージ５を受信すると、リソースの解除がトリガーされる。リソースを解除するために、３Ｇ−ＳＧＳＮは、「Ｉｕ解除コマンド」メッセージ６をＳＲＮＳのＲＮＣへ送信する。このメッセージを受信すると、ＳＲＮＳは、ダウンリンクＰＤＵ（プロトコルデータユニット）をバッファしそしてＭＳへのその送信を停止し、そして「ＳＲＮＳコンテクスト応答」を返送する（これは、ＩＭＳＩ（国際移動加入者認識）、ＧＴＰ−ＳＮＤ（ＧＰＲＳトンネリングプロトコル−ダウンリンクシーケンス番号）、ＧＴＰ−ＳＮＵ（アップリンクシーケンス番号）、ＰＤＣＰ−ＳＮＤ（パケットデータ圧縮プロトコル−ダウンリンクシーケンス番号）、ＰＤＣＰ−ＳＮＵメッセージ７のような情報を含む）。ＳＲＮＳは、各ＰＤＰコンテクストに対し、移動ステーションへ送信されるべき次のイン・シーケンスのＧＴＰシーケンス番号と、ゲートウェイノード（例えば、ＧＧＳＮ）へトンネリングされるべき次のアップリンクパケットデータユニット（ＰＤＵ）のＧＴＰシーケンスとを含まねばならない。
【００３５】
「ＰＤＰコンテクスト」という語は、パケット交換ネットワーク（例えば、ＧＰＲＳ／ＵＭＴＳネットワーク）を通過するデータ接続又はデータベアラの一部分を指す。ＰＤＰコンテクストは、ワイヤレスステーションから、ＧＧＳＮのようなゲートウェイノードのアクセスポイントまでの論理的接続として見ることができ、アクセスポイントは、例えば、ＧＰＲＳ／ＵＭＴＳ移動ネットワークと、外部データネットワークとの間の接続ポイントである。又、ＰＤＰコンテクストは、論理的接続という語に代わって、アクセスポイントとユーザとの間の論理的関連性と称されてもよい。
【００３６】
確認モードを使用する各アクティブなＰＤＰコンテクストの場合に、ＳＲＮＳは、アップリンクＰＤＣＰシーケンス番号（ＰＤＣＰ−ＳＮＵ）及びダウンリンクＰＤＣＰシーケンス番号（ＰＤＣＰ−ＳＮＤ）も含む。ＰＤＣＰ−ＳＮＵは、ＭＳから予想される次のイン・シーケンスＰＤＣＰシーケンス番号でなければならない（各アクティブな無線ベアラごとに）。ＰＤＣＰ−ＳＮＤは、移動ステーションへ送信されるべき次のイン・シーケンスのＰＤＣＰシーケンス番号でなければならない（各アクティブな無線ベアラごとに）。ＰＤＣＰシーケンス番号は、通常、８ビット長さであるから、ＰＤＣＰシーケンス番号は、ＳＮＤＣＰ  ＰＤＣＰ−ＰＤＵ番号に等しい（確認モードにおいて）。
【００３７】
メッセージ段階８において、ＳＲＮＳは、部分的に送信された及び送信されたが確認されないＮ−ＰＤＵ（ネットワークＰＤＵ）を、そのＮ−ＰＤＵの最後のＰＤＣＰセグメントのＰＤＣＰダウンリンクシーケンス番号と一緒にトンネリングするのをスタートし、そしてバッファされたＧＴＰ  ＰＤＵを複写して３Ｇ−ＳＧＳＮへトンネリングするのをスタートすることができる。段階９において、ＭＳＣと移動ステーションとの間の回路交換接続が解除される。
移動ステーションが「ルーティングエリア更新要求」メッセージ１０を新たな２Ｇ−ＳＧＳＮへ送信するのは、このときだけである。それ故、上述したメッセージ５は、公知解決策の場合と同様に、ハンドオーバー手順の早期段階においてリソースの解除を促進する。
【００３８】
完全を期すために、ハンドオーバー手順の次の段階を以下に説明し、ハンドオーバー手順の長さ及び種々のステップを明確に示す。メッセージ１０は、古いＲＡＩ（ルーティングエリア認識）、古いＰ−ＴＭＳＩ符号（パケット−一時的移動加入者認識）及び更新形式のような情報を含むことができる。更新形式は、更新が要求されたＲＡ更新であるか又は周期的なＲＡ更新であるかを指示することができる。ＢＳＳは、新たな２Ｇ−ＳＧＳＮにメッセージを通す前にメッセージが受信されたセルのＲＡＣ（ルーティングエリアコード：パケット交換接続に対する）及びＬＡＣ（位置エリアコード：回路交換接続に対する）を含むセルグローバル認識（ＣＧＩ）をメッセージに追加することができる。
【００３９】
新たな２Ｇ−ＳＧＳＮは、「ＳＧＳＮコンテクスト要求」（古いＲＡＩ、ＴＬＬＩ（一時的論理的リンク認識）、古いＰ−ＴＭＳＩ符号、新たなＳＧＳＮアドレス）メッセージ１１を古い３Ｇ−ＳＧＳＮへ送信して、移動ステーションに対するＭＭコンテクスト及びＰＤＰコンテクストを得る。ＭＭコンテクストは、ＩＭＳＩ、暗号キー、等の加入者関連情報を含むＧＰＲＳ移動管理情報エンティティを備えている。古いＳＧＳＮは、次いで、古いＰ−ＴＭＳＩ符号を有効とし、そしてこの符号が古い３Ｇ−ＳＧＳＮに記憶された値に一致しない場合には、適当なエラー原因で応答する。又、古い３Ｇ−ＳＧＳＮは、タイマーをスタートすることができる。移動ステーションが古い３Ｇ−ＳＧＳＮにおいて知られていない場合には、古い３Ｇ−ＳＧＳＮは、適当なエラー原因で応答する。
【００４０】
図３の実施形態において、古い３Ｇ−ＳＧＳＮは、「ＳＧＳＮコンテクスト応答」（ＭＭコンテクスト及びＰＤＰコンテクストを含む）メッセージ１２で応答する。各ＰＤＰコンテクストに対し、古い３Ｇ−ＳＧＳＮは、ＧＧＳＮへトンネリングされるべき次のアップリンクＧＴＰ  ＰＤＵに対するＧＴＰシーケンス番号と、ＭＳへ送信されるべき次のイン・シーケンスＮ−ＰＤＵに対する次のダウンリンクＧＴＰシーケンス番号とを含む。各ＰＤＰコンテクストは、確認モードにおいて移動ステーションへ送信されるべき次のイン・シーケンスダウンリンクＮ−ＰＤＵに対するＳＮＤＣＰ（ＧＰＲＳサブネットワーク従属収斂プロトコル）「送信Ｎ−ＰＤＵ番号」と、確認モードにおいて移動ステーションから受信されるべき次のイン・シーケンスアップリンクＮ−ＰＤＵに対するＳＮＤＣＰ「受信Ｎ−ＰＤＵ番号」を含む。
【００４１】
適当なセキュリティ機能が段階１３で実行される。このセキュリティ機能は、ユーザのＨＬＲに記憶されたデータに対してユーザデータを照合する種々の照合及び／又は認証手順を含む。
接続を継続できることがセキュリティ機能で確認された後に、新たな２Ｇ−ＳＧＳＮは、「ＳＧＳＮコンテクスト確認」メッセージ１４を古い３Ｇ−ＳＧＳＮへ送信することができる。これは、新たな２Ｇ−ＳＧＳＮが、アクチベートされたＰＤＰコンテクストに属するデータパケットを受信する準備ができたことを古い３Ｇ−ＳＧＳＮに通知する。古いＳＧＳＮは、そのコンテクストにおいて、ＭＳＣ／ＶＬＲの関連性と、ＧＧＳＮ及びＨＬＲにおける情報とが無効であることをマークする。このマーキングを使用し、移動ステーションが、進行中のＲＡ更新手順を完了する前に古いＳＧＳＮへ戻るＲＡ更新手順を開始する場合に、ＭＳＣ／ＶＬＲ、ＧＧＳＮ及びＨＬＲを更新するようトリガーすることができる。
【００４２】
データのバッファ動作が使用される場合には、古い３Ｇ−ＳＧＳＮは、バッファされたＮ−ＰＤＵを複写し、そしてメッセージ段階１５においてそれらを新たな２Ｇ−ＳＧＳＮへトンネリングするのをスタートする。ＧＧＳＮから受信された付加的なＮ−ＰＤＵも複写されて、新たなＳＧＳＮへトンネリングされる。複写は、メッセージステップ２で説明したタイマー機能が時間切れする前に行うことができる。確認モードにおいて移動ステーションへ既に送信されそして移動ステーションによりまだ確認されていないＮ−ＰＤＵは、ＳＮＤＣＰ  Ｎ−ＰＤＵ番号と一緒にトンネリングされる。上記タイマーが時間切れした後は、Ｎ−ＰＤＵが新たなＳＧＳＮへ転送されない。古い３Ｇ−ＳＧＳＮは、ＧＴＰ  ＰＤＵを新たな２Ｇ−ＳＧＳＮにトンネリングする。トンネリングされたＰＤＵのＧＴＰヘッダにおいてＳＮＤＣＰシーケンス番号が変更されてはならない。
【００４３】
新たな２Ｇ−ＳＧＳＮは、次いで、段階１６において「更新ＰＤＰコンテクスト要求」（新たなＳＧＳＮアドレス、ＴＥＩＤ、ＱｏＳネゴシエーション）メッセージを、接続に関連した各ＧＧＳＮへ送信する。各ＧＧＳＮは、次いで、それらのＰＤＰコンテクストフィールドを更新し、そして「更新ＰＤＰコンテクスト応答」（ＴＥＩＤ）メッセージを返送する。
【００４４】
新たな２Ｇ−ＳＧＳＮは、通常、「更新ＧＰＲＳ位置」メッセージ１７をＨＬＲへ送信することによりＳＧＳＮの変化をＨＬＲに通知する。このメッセージ１７は、例えば、ＳＧＳＮ番号、ＳＧＳＮアドレス、及び移動ステーションのＩＭＳＩを含む。その応答において、ＨＬＲは、「キャンセル位置（ＩＭＳＩ）」メッセージを段階１８において古い３Ｇ−ＳＧＳＮへ送信する。古い３Ｇ−ＳＧＳＮは、次いで、それを「キャンセル位置Ａｃｋ（ＩＭＳＩ）」メッセージで確認する。古い３Ｇ−ＳＧＳＮは、メッセージステップ３で説明したタイマーが動作しない場合にはＭＭ及びＰＤＰコンテクストを除去する。タイマーが動作する場合には、タイマーが時間切れとなったときに、ＭＭ及びＰＤＰコンテクストが除去されねばならない。タイマー機能は、古いＲＮＳの古いＲＮＣ又は３Ｇ−ＳＧＳＮにおいて実施される。
【００４５】
段階１９において、ＨＬＲは、「挿入加入者データ」（例えば、ＩＭＳＩ及び／又はＧＰＲＳ契約データ）メッセージを新たな２Ｇ−ＳＧＳＮへ送信する。新たな２Ｇ−ＳＧＳＮは、移動ステーションに対するＭＭコンテクスト及びＰＤＰコンテクストを構成し、そして「挿入加入者データＡｃｋ」（ＩＭＳＩを含む）メッセージをＨＬＲへ返送する。
【００４６】
ＨＬＲは、「更新ＧＰＲＳ位置Ａｃｋ」（ＩＭＳＩ）メッセージ２０を新たな２Ｇ−ＳＧＳＮへ返送することにより「更新ＧＰＲＳ位置」メッセージを確認する。新たな２Ｇ−ＳＧＳＮは、次いで、新たなルーティングエリア（ＲＡ）において移動ステーション（ＭＳ）の存在を有効とする。移動ステーションが新たな２Ｇ−ＳＧＳＮにアタッチされることが許されない（例えば、ローミングの制約により）か、又は契約の認証が失敗に終わった場合には、新たな２Ｇ−ＳＧＳＮは、適当な原因でルーティングエリア更新を拒絶する。全てのチェックが成功であった場合には、新たな２Ｇ−ＳＧＳＮは、移動ステーションに対するＭＭ及びＰＤＰコンテクストを構成する。その後、新たな２Ｇ−ＳＧＳＮと移動ステーションとの間に論理的リンクが確立される。新たな２Ｇ−ＳＧＳＮは、「ルーティングエリア更新受け入れ」メッセージ２１で移動ステーションに応答する。このメッセージは、Ｐ−ＴＭＳＩ、Ｐ−ＴＭＳＩ符号、及び／又は受信Ｎ−ＰＤＵ番号のような情報を含む。受信Ｎ−ＰＤＵ番号は、移動ステーションにより使用される各確認モードＮＳＡＰＩ（ネットワーク層サービスアクセスポイント識別子）に対する確認を含み、これにより、全ての移動発信Ｎ−ＰＤＵが更新手順のスタート前に首尾良く転送されたことを確認する。
【００４７】
ＭＳは、「ルーティングエリア更新完了」（受信Ｎ−ＰＤＵ番号）メッセージ２２をＳＧＳＮへ返送することにより新たなＰ−ＴＭＳＩを確認する。受信されたＮ−ＰＤＵ番号メッセージは、移動ステーションにより使用される各確認モードＮＳＡＰＩに対する確認を含み、これにより、全ての移動着信Ｎ−ＰＤＵが更新手順のスタート前に首尾良く転送されたことを確認する。ＭＳは、次に予想されるイン・シーケンスのＲＬＣフレームのＲＬＣシーケンス番号の最上位４ビットを剥離することにより、ダウンリンクＲＬＣ（無線リンク制御）シーケンス番号から受信Ｎ−ＰＤＵ番号を推測する。
【００４８】
ＧＰＲＳ−ＣＳＩが定義された移動ステーションの場合に、移動ネットワークエンハンストロジックのためのカスタマイズされたアプリケーション（ＣＡＭＥＬ）の対話が実行される。その詳細な説明については第３世代パートナーシッププロジェクト仕様Ｎｏ．３ＧＴＳ２３．０７８を参照されたい。このような移動ステーションが使用される場合、Ｃ１ボックスは、「ＣＡＭＥＬ−ＧＰＲＳ−ＳＧＳＮ−コンテクスト確認」メッセージを指定し、そしてＣ２ボックスは、「ＣＡＭＥＬ−ＧＰＲＳ−ルーティングエリア更新」メッセージを指定する。
【００４９】
或いは又、メッセージステップ１−７は、回路交換接続が首尾良くハンドオーバーされたことに気付いたときにソースＲＮＣが３Ｇ−ＳＧＳＮへのＩｕ接続を直接解除するように行われてもよい。又、解除は、回路交換接続のハンドオーバー前又はハンドオーバーの進行中に行われてもよい。図７の無線ネットワークコントローラ７は、ＧＳＭ規格、或いはＵＭＴＳパケット交換サービスをサポートしない他の規格に基づいて動作する別のノードへ移動ステーション１がハンドオーバーされたことに気付き、従って、パケット交換リソースの解除を開始する。
【００５０】
又、無線ネットワークコントローラには、規定の時間周期中にアクティビティがない場合にＩｕ及びＲＮＣを解除するタイマー機能も設けられる。図１において、タイマー機能は、２０で示されている。このタイマー２０は、ＵＭＴＳからＧＰＲＳシステムへ論理的接続をハンドオーバーすべき場合に、例えば、Ｉｕインターフェイスリソース、又はパケット交換部分により予約された他のリソースの解除をトリガーするための事象を与えるのに使用される。このタイマー機能２０は、無線ネットワークコントローラへ規定の指示を与え、この指示が解除手順をトリガーする。無線ネットワークコントローラは、ハンドオーバーの以前の情報をもつ必要はなく、タイマー２０からの情報のみに基づいて解除を開始することができる。
【００５１】
タイマーは、例えば、論理的接続のパケット交換側で規定の時間周期（例えば、１０又は２０分）中アクティビティが生じなかった後にタイマー機能が指示を与えるような固定の時間切れ周期を有する。別の形態によれば、タイマー機能は動的である。タイマーの調整（例えば、時間切れ周期）は、使用可能なリソースの情報に基づく。又、タイマーは、日、週、年等の時間に基づいて異なる設定を有してもよい。ネットワークオペレータは、タイマーの設定を変更することができる。
【００５２】
或いは又、タイマーの機能は、図１のＳＧＳＮ１４に設けられてもよい。ある実施形態では、ＲＮＣ７及びＳＧＳＮ１４の両方にタイマー機能が設けられる。この実施形態のオペレーションは、第１タイマーの時間切れが事象を与えるようなものである。別の可能性によれば、最も遅く時間切れするタイマーが、リソースの解除をトリガーする事象を与える。
【００５３】
又、２つ以上の事象に基づいて解除手順を開始するシステムをもつこともできる。その構成は、解除手順を開始するまでに２つ以上の事象が必要となるようなものである。規定の事象のいずれか１つが検出されたときに、常に、リソースの解除が開始されるような構成でもよい。
本発明の実施形態は、移動ステーションに関連して説明したが、他のいかなる適当な形式のユーザ装置にも適用できることが明らかであろう。
【００５４】
回路交換という語は、接続指向の通信をベースとするいかなる通信も指すものとする。パケット交換という語は、「無接続」と考えることのできるいかなる通信も指すものとする（即ち、通信に対して回路が設定されず、システムにおいて搬送されるべきデータユニットにアドレスが設けられる）。
データは、パケット形態であるとして説明した。本発明の別の実施形態では、データは、いかなる適当なフォーマットで送信されてもよい。ユーザ装置と無線ステーションとの間に送信されるべきデータは、各々、スピーチデータ、ビデオデータ、又は他のデータである。パケットデータ送信は、アプリケーション及びデータのソースに依存するビットレートで送信するのに適した形態にエンコードされてもよい。
【００５５】
本発明の実施形態は、ＵＭＴＳ及びＧＳＭシステムに関連して説明した。又、本発明は、２つ以上のノード間で接続がハンドオーバーされる他の通信ネットワークにも適用することができる。
以上、本発明の好ましい実施形態を詳細に説明したが、特許請求の範囲に規定された本発明の範囲から逸脱せずに多数の変更や修正がなされ得ることに注意されたい。
【図面の簡単な説明】
【図１】  本発明を実施することのできる通信システムを示す図である。
【図２】  本発明の実施形態の主たるステップを示すフローチャートである。
【図３】  本発明の実施形態によるメッセージの流れを詳細に示すシグナリングチャートである。
【図１】
0003917427.tif 000002
【図２】
0003917427.tif 000003
【図３】
0003917427.tif 000004